(57)【要約】【課題】部品点数を削減し、安価で簡素な防水構造を実現した携帯端末を提供する。【解決手段】携帯端末は、第１の開口が設けられた表面を有する本体ケースと、第１の開口に対応する位置に設けられた第１の開口より大きな第２の開口を有する第１のカバーと、第１及び第２の開口に対応する位置に設けられた第２の開口より小さな第３の開口を有するとともに、本体ケースと第１のカバーの間に設けられ、１つの面が本体ケースに接着され他の面が第１のカバーに接着されることにより本体ケースと前記第１のカバーの間を固着するシート部材と、第２の開口部を介して第１の開口を塞ぐように本体ケースに着脱自在とされた第２のカバーと、を備える。第２のカバーが未装着であるときに第２の開口に露出しているシート部材の第３の開口の周辺部分が、第２のカバーが装着される際に本体カバーと第２のカバーによって押圧されることによって、第１の開口を閉塞する。【選択図】図２
2012244280.tif 000002
【特許請求の範囲】
【請求項１】
第１の開口が設けられた表面を有する本体ケースと、
前記第１の開口に対応する位置に設けられた前記第１の開口より大きな第２の開口を有する第１のカバーと、
前記第１及び第２の開口に対応する位置に設けられた前記第２の開口より小さな第３の開口を有するとともに、前記本体ケースと前記第１のカバーの間に設けられ、１つの面が前記本体ケースに接着され他の面が前記第１のカバーに接着されることにより前記本体ケースと前記第１のカバーの間を固着するシート部材と、
前記第２の開口部を介して前記第１の開口を塞ぐように前記本体ケースに着脱自在とされた第２のカバーと、を備え、
前記第２のカバーが未装着であるときに前記第２の開口に露出している前記シート部材の前記第３の開口の周辺部分が、前記第２のカバーが装着される際に前記本体カバーと前記第２のカバーによって押圧されることによって、前記第１の開口を閉塞できるよう構成された、
携帯端末。
【請求項２】
前記周辺部分は、前記第１の開口の周囲全体を囲む領域である、
請求項１に記載の携帯端末。
【請求項３】
前記第２のカバーは、凸部を有し、
前記凸部は、前記第２のカバーが前記本体ケースに装着される際に前記周辺部分を押圧する、
請求項１又は２に記載の携帯端末。
【請求項４】
前記本体ケースは、凸部を有し、
前記凸部は、前記第２のカバーが前記本体ケースに装着される際に、前記周辺部分を押圧する、
請求項１又は２に記載の携帯端末。
【請求項５】
前記本体ケースは、押下可能なボタンをさらに備え
前記シート部材は、さらに、前記ボタンを覆うことで外部からの水の侵入を遮断する、
請求項１〜４のいずれか１項に記載の携帯端末。
【請求項６】
前記第２の開口は、少なくとも一辺が欠落した切り欠きとして形成されている、請求項１〜５のいずれか１項に記載の携帯端末。
【発明の詳細な説明】
【技術分野】
【０００１】
本発明は、携帯端末に関する。
【背景技術】
【０００２】
携帯端末において、防水機能は一般的な機能となっている。携帯端末における防水構造は、例えば、構成する部品同士をパッキン、Ｏリング、又は両面テープを用いて密閉する手法が知られている。
【０００３】
特許文献１では、携帯端末の筺体の外装構造パネル上に両面接着用フィルムを取り付けて構成することにより、必要部分以外からの光透けを防ぐことができる構造が開示されている。
【０００４】
特許文献２では、携帯端末の電池ポケットの外囲を取り囲むように防水パッキンを設け、防水パッキンと同形状の枠状防水リブを設けることにより防水を行う構造が開示されている。
【０００５】
特許文献３では、サブディスプレイ及びキー操作部について防水型両面テープを設け、エッジ状の突起で押圧する凸形状のリブを有することにより防水を行う携帯端末が開示されている。
【０００６】
特許文献４では、電話機において、環状パッキンと開口部閉塞カバーを一体成型する手法が開示されている。これによれば、防水構造付与による部品点数の増加を抑えることができる。
【０００７】
特許文献５では、大掛かりな金型を必要とするパッキン一体成型構造から、パッキンを別体化することで部品形状を簡単化する構造が開示されている。
【先行技術文献】
【特許文献】
【０００８】
【特許文献１】特開平８−１５４１１６号公報
【特許文献２】特許第３８５０７０５号公報
【特許文献３】特開２００６−２０３４６０号公報
【特許文献４】特開平１１−０２５９４０号公報
【特許文献５】特開２０１０−２７３２１３号公報
【発明の概要】
【発明が解決しようとする課題】
【０００９】
本願の発明者は、携帯端末の構造に関して検討を行い、以下に述べる課題を見出した。すなわち、本願の発明者は、第１の開口が設けられた表面を有する本体ケースに対して第２の開口を有する第１のカバーを接着するとともに、第１の開口を閉塞する着脱自在な第２のカバーをさらに本体ケースに対して取り付ける携帯端末の構造を検討した。このような構造を採用する場合、本体ケースと第１のカバーの間を接着し且つ防水を行うシート部材が必要となり、さらに、第２のカバーと本体ケースとの間の防水を行うためのＯリング又はパッキン等の部材が必要となる。したがって、部品の個数が増加することからコストが高くなるという課題がある。
【００１０】
上述した特許文献１〜５は、上記の課題に対処するための構造について何ら開示していない。
【００１１】
そこで本発明は、第１の開口が設けられた表面を有する本体ケースに対して第２の開口を有する第１のカバーを接着するとともに、第１の開口を閉塞する着脱自在な第２のカバーをさらに本体ケースに対して取り付ける携帯端末の構造において、部品点数の削減し、安価で簡素な防水構造を実現することを目的とする。
【課題を解決するための手段】
【００１２】
本発明の一態様にかかる携帯端末は、本体ケース、第１のカバー、シート部材、及び第２のカバーを含む。前記本体ケースは、第１の開口が設けられた表面を有する。前記第１のカバーは、前記第１の開口に対応する位置に設けられた前記第１の開口より大きな第２の開口を有する。前記シート部材は、前記第１及び第２の開口に対応する位置に設けられた前記第２の開口より小さな第３の開口を有する。さらに、前記シート部材は、前記本体ケースと前記第１のカバーの間に設けられ、１つの面が前記本体ケースに接着され他の面が前記第１のカバーに接着されることにより前記本体ケースと前記第１のカバーの間を固着する。前記第２のカバーは、前記第２の開口部を介して前記第１の開口を塞ぐように前記本体ケースに着脱自在とされている。そして、本態様にかかる携帯端末は、前記第２のカバーが未装着であるときに前記第２の開口に露出している前記シート部材の前記第３の開口の周辺部分が、前記第２のカバーが装着される際に前記本体カバーと前記第２のカバーによって押圧されることによって、前記第１の開口を閉塞できるよう構成されている。
【発明の効果】
【００１３】
上述した本発明の一態様によれば、第１の開口が設けられた表面を有する本体ケースに対して第２の開口を有する第１のカバーを接着するとともに、第１の開口を閉塞する着脱自在な第２のカバーをさらに本体ケースに対して取り付ける携帯端末の構造において、部品点数を削減し、安価で簡素な防水構造を実現できる。
【図面の簡単な説明】
【００１４】
【図１】実施の形態１にかかる携帯端末の構成図である。
【図２】実施の形態１にかかる携帯端末の分解構成図である。
【図３】実施の形態１にかかる防水シートの加工形状と、接着材の塗りつけ位置を示す図である。
【図４】実施の形態１にかかる電池カバーによる防水機構を示すＡ−Ａ断面図である。
【図５】実施の形態１にかかるＳＤカードスロットカバーによる防水機構を示すＢ−Ｂ断面図である。
【図６】実施の形態１にかかるＳＤカードスロットカバーによる防水機構を示すＢ−Ｂ断面図である。
【図７】実施の形態１にかかるサイドキーボタン部の防水機構を示すＣ−Ｃ断面図である。
【図８】実施の形態１にかかるカメラ部の防水機構を示すＤ−Ｄ断面図である。
【図９】実施の形態２にかかる携帯端末の構成図である。
【図１０】実施の形態２にかかる防水シートの加工形状と、接着材の塗りつけ位置を示す図である。である。
【図１１】実施の形態３にかかる携帯端末の構成図である。
【図１２】実施の形態３にかかる防水シートの加工形状と、接着材の塗りつけ位置を示す図である。
【図１３】実施の形態４にかかる携帯端末の構成図である。
【図１４】実施の形態４にかかる防水シートの加工形状と、接着材の塗りつけ位置を示す図である。
【図１５】実施の形態５にかかる携帯端末の構成図である。
【図１６】実施の形態５にかかる防水シートの加工形状と、接着材の塗りつけ位置を示す図である。
【発明を実施するための形態】
【００１５】
実施の形態１
以下、図面を参照して本発明の実施の形態について説明する。図１は実施の形態１にかかる携帯端末１ａの構成図である。図１（ａ）は携帯端末１ａの正面図であり、図１（ｂ）は携帯端末１ａの背面図であり、図１（ｃ）は携帯端末１ａの側面図である。携帯端末１ａは、正面側に表示部１１を備え、背面側に電池搭載部１２、ＳＤカードスロット部１３、キーボタン部１４、カメラ部１５を備える。典型的には、ＳＤカードスロット部１３と、キーボタン部１４は、携帯端末１ａの背面から側面にかけて設けられている。なお、電池搭載部１２、ＳＤカードスロット部１３、キーボタン部１４、カメラ部１５は、図１に示した位置に限らず、自由に配置されていて良い。
【００１６】
図２は、実施の形態１にかかる携帯端末１ａの分解構成図である。携帯端末１ａは、本体ケース２ａ、防水シート２１ａ、背面カバー２２ａ、電池カバー２３、ＳＤスロットカバー２４、サイドキートップ２５、カメラカバー２６を備える。
【００１７】
本体ケース２ａは、プリント基板や半導体などの電子部品が内蔵されている。典型的には本体ケース２ａには、表示部１１、電池搭載部１２、ＳＤカードスロット部１３、キーボタン部１４、カメラ部１５が、それぞれ設けられている。なお、本体ケース２ａにおいて、電池搭載部１２、ＳＤカードスロット部１３などに設けられた開口部を、第１の開口とする。また、本体ケース２ａは、防水シート２１ａと接着する。
【００１８】
表示部１１は、正面側に設けられているディスプレイ装置である。典型的には、表示部１１は液晶ディスプレイであり、液晶パネルと、液晶パネルに対して電気信号を供給する駆動回路等を有する。
【００１９】
電池搭載部１２は、携帯端末１ａの背面側に設けられている。電池搭載部１２は、電池を搭載するために開口している。
【００２０】
ＳＤカードスロット部１３は、ＳＤカードとの接続を行うためのコネクタ部である。ＳＤカードスロット部１３は、ＳＤカードを挿入するために開口している。
【００２１】
キーボタン部１４は、ユーザによって押下操作されるボタンを備える。例えば携帯端末１ａは、ユーザによるキーボタン部１４の操作に基づいて、表示部１１の表示内容を変化させる。
【００２２】
カメラ部１５は、例えば携帯端末１ａの背面側に設けられているＣＣＤカメラである。カメラ部１５は、本体カメラユニット１５１と、遮光を行うための本体カメラユニット遮光クッション１５２を有する。なおカメラ部１５には、マイクなどの音声入力手段を備えていても良い。
【００２３】
防水シート２１ａは、本体ケース２ａと、背面カバー２２ａとの間に挟まれるシリコンシートなどの、弾性を有するシート部材である。図３（ａ）は、防水シート２１ａの本体ケース２ａとの接着面を示している。図３（ｂ）は防水シート２１ａの背面カバー２２ａとの接着面を示している。斜線で示した部分が、接着材が印刷されている部分である。防水シート２１ａは、開口部１２１、開口部１２２、開口部１２３、圧縮部３１、圧縮部３２、ＳＤスロットカバーヒンジ部２４１、ＳＤスロットカバー張り付け部２４３、サイドキーボタン可動部逃げ２５２を備える。なお、開口部１２１、開口部１２２、開口部１２３を、第３の開口とする。
【００２４】
開口部１２１は、本体ケース２ａと接着させたときに本体ケース２ａに設けられた電池搭載部１２が開口するための開口部である。開口部１２２は、ＳＤカードスロット部１３のコネクタ部が開口するための開口部である。開口部１２３は、カメラ部１５が開口するための開口部である。
【００２５】
圧縮部３１は、背面カバー２２ａとの接着面側において、開口部１２１の周囲に設けられている。圧縮部３１には、接着材は印刷されていない。圧縮部３２は、本体ケース２ａとの接着面側において、開口部１２２の周囲に設けられている。圧縮部３２には、接着剤は印刷されていない。
【００２６】
ＳＤスロットカバーヒンジ部２４１には、本体ケース２ａ側及び背面カバー２２ａ側の両面ともに接着剤が印刷されていない。ＳＤスロットカバー張り付け部２４３は、背面カバー２２ａとの接着面側において、ＳＤカードスロット部１３の開口部１２２の周囲に設けられている。ＳＤスロットカバー張り付け部２４３は、接着材が印刷されている。
【００２７】
防水シート２１ａには、背面カバー２２ａとの接着面側において、サイドキーボタン可動部逃げ２５２が設けられている。サイドキーボタン可動部逃げ２５２は、接着材が印刷されている。
【００２８】
すなわち防水シート２１ａは、本体ケース２ａおよび背面カバー２２ａに接着するよう、開口部１２１、開口部１２２、開口部１２３、圧縮部３１、圧縮部３２、ＳＤスロットカバーヒンジ部２４１、サイドキーボタン可動部逃げ２５２を除いた箇所に接着材が印刷されている。そのため防水シート２１ａは、本体ケース２ａ及び背面カバー２２ａと接着した状態において、携帯端末２ａの側背面からの防水を実現する。
【００２９】
背面カバー２２ａは、本体ケース２ａと対になっており、本体ケース２ａに設けられた電池搭載部１２、ＳＤカードスロット部１３、キーボタン部１４、カメラ部１５のそれぞれが開口するよう、開口部が設けられている。背面カバー２２ａは、防水シート２１ａと接着する。なお、背面カバー２２ａを、第１のカバーとする。典型的には、背面カバー２２ａに設けられている開口部は、防水シート２１ａに設けられている開口部１２１、開口部１２２、開口部１２３に比べ、それぞれが大きく設けられている。また、ＳＤカードスロット部１３を開口させるための開口部は、切り欠き状になっている。背面カバー２２ａに設けられている開口部を、第２の開口とする。
【００３０】
電池カバー２３は、電池搭載部１２の開口された領域を密閉するカバーである。電池カバー２３は、開けることで電池の着脱が可能となる。なお、電池カバー２３を、第２のカバーとする。図４は、電池カバー２３が電池搭載部１２を密閉した状態を示す、Ａ−Ａ断面図である。
【００３１】
電池カバー２３は、電池カバー凸部２３１を有する。電池カバー凸部２３１は、電池カバーによる圧縮部３１を押圧することにより、電池カバー２３と、背面カバー２２ａの間の隙間から電池搭載部１２に侵入する水を遮断する。ここで圧縮部３１は、図３に示したように電池搭載部１２の周囲を囲うよう設けられている。なお、防水シート２１ａの本体ケース２ａとの接触面側は、圧縮部３１の箇所において、本体ケース２ａと接着している。電池カバー凸部２３１は、電池カバーによる圧縮部３１の形状に合わせ、電池搭載部１２を囲うようにして防水シート２１ａを押圧するよう、設けられている。言い換えると、第２のカバーが未装着であるときに第２の開口に露出している防水シート２１ａの第３の開口の周辺部分が、第２のカバーが装着される際に本体カバー２ａと第２のカバーによって押圧されることによって、第１の開口を閉塞する。なお典型的には、周辺部分とは、第１の開口の周囲全体を囲む領域である。また、電池カバー凸部２３１は、第２のカバーが本体ケース２ａに装着される際に周辺部分を押圧する。
【００３２】
また、電池カバー２３は爪部を有しており、本体ケース２ａが有する爪部受けと嵌め合うことで、電池搭載部１２に固定される。
【００３３】
なお、防水シート２１ａの圧縮部３１の箇所ついては、本体ケース２ａと接着しているものとして説明したが、必ずしも本体ケース２ａと接着状態でなくとも良い。
【００３４】
これにより、電池カバー２３と背面カバー２２ａの間からの水の浸入を防止することができる。
【００３５】
ＳＤスロットカバー２４は、ＳＤカードスロット部１３の開口された領域を密閉するカバーである。ＳＤスロットカバー２４は、開けることでＳＤカードの着脱が可能となる。ＳＤスロットカバー２４は第２のカバーである。図５及び図６に、ＳＤスロットカバー２４による防水機構を示す。図５はＳＤスロットカバー２４が閉じた状態のＢ−Ｂ断面図であり、図６はＳＤスロットカバー２４が開いた状態のＢ−Ｂ断面図である。
【００３６】
防水シート２１ａのＳＤスロットカバー張り付け部２４３は、ＳＤスロットカバー２４と接着している。防水シート２１ａのＳＤスロットカバー張り付け部２４３の反対側の面には、圧縮部３２が設けられ、ＳＤスロットカバー２４を閉じたときに、本体ケース２ａが有する本体凸部２４４より押圧される。典型的には、ＳＤスロットカバー張り付け部２４３及び圧縮部３２は、ＳＤカードスロット部１３の開口された領域を囲うように設けられている。本体凸部２４４は、この圧縮部３２を押圧するように、本体ケース２ａに設けられている。言い換えると、本体凸部２４４は、第２のカバーが本体ケース２ａに装着される際に、周辺部分を押圧する。ここで、周辺部分とは、第１の開口の周囲全体を囲む領域である。
【００３７】
また、ＳＤスロットカバー２４は、ＳＤスロットカバーヒンジ部２４１を介して本体ケース２ａと接続されている。これによりＳＤスロットカバー２４は、本体ケース２ａと完全に分離することなく可動状態となる。ＳＤスロットカバーヒンジ部２４１は、防水シート２１ａの一部であって、防水シート２１ａが本体ケース２ａ、背面カバー２２ｂ及びＳＤスロットカバー２４のいずれとも接着していない。典型的には、ＳＤスロットカバーヒンジ部２４１は、ＳＤスロットカバー張り付け部２４３より、本体ケース２ａの内側方向に設けられている。
【００３８】
また、ＳＤスロットカバー２４は、ＳＤスロットカバーフック２４２が設けられている。ＳＤスロットカバーフック２４２は、ＳＤスロットカバー張り付け部２４３より、さらに本体ケース２ａの外側（側面）方向に設けられている。ＳＤスロットカバーフック２４２は、本体ケース２ａに設けられた爪部受けと嵌め合うことで、本体ケース２ａに固定される。
【００３９】
なお、防水シート２１ａの圧縮部３２の箇所ついては、ＳＤスロットカバー２４と接着しているものとして説明したが、必ずしもＳＤスロットカバー２４と接着状態でなくとも良い。
【００４０】
これにより、ＳＤスロットカバー２４と背面カバー２２ａの間からの水の浸入を防止することができる。
【００４１】
サイドキートップ２５は、キーボタン部１４の一部であり、押し下げにより操作されるボタンをカバーしている。図７は、キーボタン部１４の防水機構を示すＣ−Ｃ断面図である。なおキーボタン部１４には、サイドキーボタン部キーＦＰＣ１４１と、サイドキーボタン部キードーム１４２が設けられている。
【００４２】
サイドキーボタン部キーＦＰＣ１４１及びサイドキーボタン部キードーム１４２には、防水シート２１ａが張り付けられおり、防水を行っている。なお、サイドキーボタン部キードーム１４２には、押し下げ操作を行うボタンが設けられている。さらに防水シート２１ａは、サイドキーボタン部キーＦＰＣ１４１の導入口も塞いでおり、防水を行っている。
【００４３】
サイドキートップ２５は、サイドキートップ押し子２５１を有する。サイドキートップ押し子２５１は、サイドキートップ２５が外側から押された場合に、サイドキーボタン部キードーム１４２が押下可能な位置に設けられている。
【００４４】
また、防水シート２１ａには、サイドキーボタン可動部逃げ２５２が設けられている。サイドキーボタン可動部逃げ２５２は、サイドキートップ２５と非接着である。これにより、人がサイドキートップ２５を押下した場合に、サイドキートップ押し子２５１がサイドキーボタン部キードーム１４２を押下することができる。
【００４５】
したがって、１枚の防水シート２１ａ用いて、電池搭載部１２やＳＤカードスロット部１３に加えて、キーボタン部１４の防水を行うことができる。
【００４６】
カメラカバー２６は、カメラ部１５を密閉している。図８は、カメラカバー２６による防水機構を示すＤ−Ｄ断面図である。カメラカバー２６を用いてカメラ部１５を密閉した状態の場合には、カメラカバー２６は、防水シート２１ａ及び本体カメラユニット遮光クッション１５２に接している。カメラカバー２６は、防水シート２１ａと接着することにより、カメラ部１５に固定させる。なお典型的には、カメラ部１５の周囲において、防水シート２１ｄは、背面カバー２２ａ及び本体ケース２ａに接着している。これにより、カメラカバー２６と背面カバー２２ａの隙間から、水が浸入するのを防止する。
【００４７】
したがって、１枚の防水シート２１ａを用いて、電池搭載部１２やＳＤカードスロット部１３に加えて、カメラ部１５の防水を行うことができる。
【００４８】
以上に述べたように、本実施の形態は、平面的に成形された弾性部材である防水シート２１ａを本体ケース２ａ及び背面カバー２２ａ（第１のカバー）に接着させることによって、本体ケース２ａと背面カバー２２ａを固着している。さらに、本体ケース２ａと背面カバー２２ａを固着する防水シート２１ａを用いて、着脱可能な電池カバー２３（第２のカバー）に覆われる開口部の防水を実現している。そのため、本実施の形態は、防水及び接着に用いる部品点数を削減することができる。さらに、携帯端末の部品点数を削減できることから、部品の生産及び組み立てが容易となり、生産効率の向上が期待できる。
【００４９】
さらに、本実施の形態では、本体ケース２ａと背面カバー２２ａを固着するための１枚の防水シート２１ａによって、着脱自在なカバー（つまり、電池カバー２３及びスロットカバー２４）により閉塞される複数の第１の開口（つまり、電池のための開口１２１及びＳＤカードのための開口１２２）の防水を行っている。このため、防水及び接着に用いる部品点数をよりいっそう削減することができる。
【００５０】
またさらに、本実施の形態では、本体ケース２ａと背面カバー２２ａを固着するための１枚の防水シート２１ａによって、着脱自在なカバー（例えば、電池カバー２３）により閉塞される第１の開口（例えば、電池のための開口１２１）の防水と、着脱可能でない部材により覆われる他の部分（例えば、カメラ部１５）を行っている。このため、防水及び接着に用いる部品点数をよりいっそう削減することができる。
【００５１】
なお、本実施の形態では、着脱自在なカバー（例えば、電池カバー２３）により閉塞される第１の開口（例えば、電池のための開口１２１）だけでなく他の開口も併せて防水可能な構造について説明した。しかしながら、本発明の実施の形態は、着脱自在なカバーにより閉塞される少なくとも１つの第１の開口を持つ携帯端末の構造を含む。以下に説明する実施の形態２〜５では、少なくとも１つの第１の開口を持つ携帯端末の構造に関する実施の形態について説明する。
【００５２】
実施の形態２
図９は、実施の形態２にかかる携帯端末１ｂの構成図である。図９（ａ）は携帯端末１ｂの正面図であり、図９（ｂ）は携帯端末１ｂの背面図である。携帯端末１ｂは、本体ケース２ｂ、防水シート２１ｂ、背面カバー２２ｂ、電池カバー２３、を備える。なお、実施の形態１に示した携帯端末１ａと同一の機能を有する構成物品については同一の符号を付し、説明を省略する。
【００５３】
本体ケース２ｂは、表示部１１、電池搭載部１２を備える。
【００５４】
防水シート２１ｂは、本体ケース２ｂおよび背面カバー２２ｂの両方に接着するよう、接着剤が印刷されている。
図１０は、防水シート２１ｂを示す図である。図１０（ａ）は、防水シート２１ｂの本体ケース２ｂとの接着面を示している。図１０（ｂ）は防水シート２１ｂの背面カバー２２ｂとの接着面を示している。斜線で示した部分が、接着材が印刷されている部分である。防水シート２１ｂは、本体ケース２ｂと接着させたときに、本体ケース２ｂに設けられた電池搭載部１２を開口するよう、開口部１２１が設けられている。
【００５５】
背面カバー２２ｂは、本体ケース２ｂと対になっており、防水シート２１ｂを挟持する。背面カバー２２ｂは、本体ケース２ｂに設けられた電池搭載部１２が開口するよう、開口部が設けられている。典型的には、背面カバー２２ｂに設けられている開口部は、防水シート２１ｂに設けられている開口部１２１より大きく設けられている。
【００５６】
以上に述べたように、本実施の形態は、平面的に成形された弾性部材である防水シート２１ｂを、本体ケース２ｂ及び背面カバー２２ｂ（第１のカバー）に接着させることによって、本体ケース２ｂと背面カバー２２ｂを固着している。さらに、本体ケース２ｂと背面カバー２２ｂを固着する防水シート２１ｂを用いて、着脱可能な電池カバー２３（第２のカバー）に覆われる開口部の防水を実現している。そのため、本実施の形態は、防水及び接着に用いる部品点数を削減することができる。
【００５７】
実施の形態３
図１１は、実施の形態３にかかる携帯端末１ｃの構成図である。図１１（ａ）は携帯端末１ｃの正面図であり、図１１（ｂ）は携帯端末１ｃの背面図であり、図１１（ｃ）は携帯端末１ｃの側面図である。携帯端末１ｃは、本体ケース２ｃ、防水シート２１ｃ、背面カバー２２ｃ、ＳＤスロットカバー２４、を備える。なお、携帯端末１ａ及び携帯端末１ｂと同一の機能を有する構成物品については同一の符号を付し、説明を省略する。
【００５８】
本体ケース２ｃは、表示部１１、ＳＤカードスロット部１３を備える。
【００５９】
防水シート２１ｃは、本体ケース２ｃおよび背面カバー２２ｃの両方に接着するよう、接着剤が印刷されている。
図１２は、防水シート２１ｃを示す図である。図１２（ａ）は、防水シート２１ｃの本体ケース２ｃとの接着面を示している。図１２（ｂ）は防水シート２１ｃの背面カバー２２ｃとの接着面を示している。斜線で示した部分が、接着材が印刷されている部分である。防水シート２１ｃは、本体ケース２ｃと接着させたときに、本体ケース２ｃに設けられたＳＤカードスロット部１３を開口するよう、開口部１２２が設けられている。
【００６０】
背面カバー２２ｃは、本体ケース２ｃと対になっており、防水シート２１ｃと接着する。背面カバー２２ｃは、本体ケース２ｃに設けられたＳＤカードスロット部１３が開口するよう、開口部が設けられている。典型的には、背面カバー２２ｃに設けられている開口部は、防水シート２１ｃに設けられている開口部１２２より大きく設けられている。
【００６１】
以上に述べたように、本実施の形態は、平面的に成形された弾性部材である防水シート２１ｃを本体ケース２ｃ及び背面カバー２２ｃ（第１のカバー）に接着させることによって、本体ケース２ｃと背面カバー２２ｃを固着している。さらに、本体ケース２ｃと背面カバー２２ｃを固着する防水シート２１ｃを用いて、着脱可能なスロットカバー２４（第２のカバー）に覆われる開口部の防水を実現している。これにより、本実施の形態は、防水及び接着に用いる部品点数を削減することができる。
【００６２】
実施の形態４
図１３は、実施の形態４にかかる携帯端末１ｄの構成図である。図１３（ａ）は、携帯端末１ｄの正面図であり、図１３（ｂ）は、携帯端末１ｄの背面図である。携帯端末１ｄは、本体ケース２ｄ、防水シート２１ｄ、背面カバー２２ｄ、電池カバー２３、サイドキートップ２５を備える。なお、前述した携帯端末１ａ、携帯端末１ｂ、携帯端末１ｃと同一の機能を有する構成物品については同一の符号を付し、説明を省略する。
【００６３】
本体ケース２ｄは、表示部１１、電池搭載部１２、キーボタン部１４を備える。
【００６４】
防水シート２１ｄは、本体ケース２ｄおよび背面カバー２２ｄの両方に接着するよう、接着剤が印刷されている。図１４は、防水シート２１ｄを示す図である。図１４（ａ）は、防水シート２１ｄの本体ケース２ｄとの接着面を示している。図１４（ｂ）は防水シート２１ｄの背面カバー２２ｄとの接着面を示している。斜線で示した部分が、接着材が印刷されている部分である。防水シート２１ｄは、本体ケース２ｄと接着させたときに、本体ケース２ｄに設けられた電池搭載部１２を開口するよう、開口部１２１が設けられている。また防水シート２１ｄは、背面カバー２２ｄとの接着面において、非接着の部位である、サイドキートップ可動部逃げ２５２が設けられている。
【００６５】
背面カバー２２ｄは、本体ケース２ｄと対になっており、防水シート２１ｄと接着する。背面カバー２２ｄは、本体ケース２ｄに設けられた電池搭載部１２が開口するよう、開口部が設けられている。また背面カバー２２ｄは、キーボタン部１４が開口するよう、開口部が設けられている。
【００６６】
これにより、本実施の形態は、電池搭載部１２とキーボタン部１４の防水を、１枚のシート状の弾性部材である防水シート２１ｄによって実現することができる。また防水シート２１ｄを接着させることで、本体ケース２ｄと背面カバー２２ｄを接着する。したがって、従来の防水に用いていたＯ型パッキン等を用いる必要が無く、部品点数を削減することができる。
【００６７】
実施の形態５
図１５は、実施の形態５にかかる携帯端末１ｅの構成図である。図１５（ａ）は、携帯端末１ｅの正面図であり、図１５（ｂ）は、携帯端末１ｅの背面図である。携帯端末１ｅは、本体ケース２ｅ、防水シート２１ｅ、背面カバー２２ｅ、電池カバー２３、カメラカバー２６を備える。なお、前述した携帯端末１ａ、携帯端末１ｂ、携帯端末１ｃ、携帯端末１ｄと同一の機能を有する構成物品については同一の符号を付し、説明を省略する。
【００６８】
本体ケース２ｅは、表示部１１、電池搭載部１２、カメラ部１５を備える。
【００６９】
防水シート２１ｅは、本体ケース２ｅおよび背面カバー２２ｅの両方に接着するよう、接着剤が印刷されている。図１６は、防水シート２１ｅを示す図である。図１６（ａ）は、防水シート２１ｅの本体ケース２ｅとの接着面を示している。図１６（ｂ）は防水シート２１ｅの背面カバー２２ｅとの接着面を示している。斜線で示した部分が、接着材が印刷されている部分である。防水シート２１ｅは、本体ケース２ｅと接着させたときに、本体ケース２ｅに設けられた電池搭載部１２を開口するよう、開口部１２１が設けられている。また防水シート２１ｅには、カメラ部１５を開口するよう、開口部１２３が設けられている。
【００７０】
背面カバー２２ｅは、本体ケース２ｅと対になっており、防水シート２１ｅと接着する。背面カバー２２ｅは、本体ケース２ｅに設けられた電池搭載部１２が開口するよう、開口部が設けられている。また背面カバー２２ｅは、カメラ部１５を開口するよう、開口部が設けられている。
【００７１】
これにより、本実施の形態は、電池搭載部１２とカメラ部１５の防水を、１枚のシート状の弾性部材である防水シート２１ｅによって実現することができる。したがって、従来の防水に用いていたＯ型パッキン等を用いる必要が無く、部品点数を削減することができる。
【００７２】
その他の実施の形態
本発明は上記実施の形態１〜５に限られたものではなく、趣旨を逸脱しない範囲で適宜変更することが可能である。例えば、実施の形態４では電池搭載部１２とキーボタン部１４の組み合わせとし、実施の形態５では電池搭載部１２とカメラ部１５の組み合わせとしたが、携帯端末の機能部の組み合わせは、これらに限られない。また、実施の形態３ではＳＤカードスロット部１３を用いて説明したが、ＳＤカード以外の外部メモリ等を接続するスロットであっても良い。
本体ケース内部に厚みがある部品を搭載する場合には、防水シートの一部を切り欠いて薄型化することが可能である。
本発明による防水機構は、携帯電話のほか、ＰＤＡ、ノートパソコン、電子辞書、ＰＨＳ、無線機などの携帯機器全般に用いることができる。
【符号の説明】
【００７３】
１ａ〜１ｅ    携帯端末
２ａ〜２ｅ    携帯端末本体
１１    表示部
１２    電池搭載部
１２１    開口部
１２２    開口部
１２３    開口部
１３    ＳＤカードスロット
１４    キーボタン部
１４１    サイドキーボタン部キーＦＰＣ
１４２    サイドキーボタン部キードーム
１５    カメラ部
１５１    本体カメラユニット
１５２    本体カメラユニット遮光クッション
２１ａ〜ｅ    防水シート
２２ａ〜ｅ    背面カバー
２３    電池カバー
２３１    電池カバー凸部
２４    スロットカバー
２４１    スロットカバーヒンジ部
２４２    スロットカバーフック
２４３    ＳＤスロットカバー張り付け部
２４４    本体凸部
２５    サイドキートップ
２５１    サイドキートップ押し子
２５２    サイドキートップ可動部逃げ
２６    カメラカバー
３１    圧縮部
３２    圧縮部
【図１】
2012244280.tif 000003
【図２】
2012244280.tif 000004
【図３】
2012244280.tif 000005
【図４】
2012244280.tif 000006
【図５】
2012244280.tif 000007
【図６】
2012244280.tif 000008
【図７】
2012244280.tif 000009
【図８】
2012244280.tif 000010
【図９】
2012244280.tif 000011
【図１０】
2012244280.tif 000012
【図１１】
2012244280.tif 000013
【図１２】
2012244280.tif 000014
【図１３】
2012244280.tif 000015
【図１４】
2012244280.tif 000016
【図１５】
2012244280.tif 000017
【図１６】
2012244280.tif 000018